(57)【要約】【課題】透光性カバーのねじ山およびつまみねじが不要で、しかも防水性能を保つことができる防水型照明器具を提供する。【解決手段】器具本体１が前面に周壁２を立設し周壁２の内側を光源配置部としている。透光性カバー５は開口部６が周壁２の内側に嵌合されて光源配置部を被覆する。第１の弾性体８は透光性カバー５の開口部６を周壁２の内側に嵌合することにより周壁２の内周面と開口部６の外周面との間に密着介在される。第２の弾性体１２は器具本体１に取付けられて周壁２の内側に嵌合された透光性カバー５の開口部６の内周面に密着する。そして、透光性カバー５の開口部６を周壁２の内側に嵌合することにより、第１の弾性体８と第２の弾性体１２の密着力により透光性カバー５を器具本体１に保持する。【選択図】        図１
2006277985.tif 000002
【特許請求の範囲】
【請求項１】
前面に周壁を立設し前記周壁の内側を光源配置部とした器具本体と、前記周壁の内側に嵌合する開口部を有して前記光源配置部を被覆する透光性カバーと、前記透光性カバーの前記開口部を前記周壁の内側に嵌合することにより前記周壁の内周面と前記開口部の外周面との間に密着介在される第１の弾性体と、前記器具本体または前記第１の弾性体に取付けられて前記周壁の内側に嵌合された前記透光性カバーの前記開口部の内周面に密着する第２の弾性体とを備え、前記透光性カバーの前記開口部を前記周壁の内側に嵌合することにより、前記第１の弾性体と前記第２の弾性体の密着力により前記透光性カバーを前記器具本体に保持することを特徴とする防水型照明器具。
【請求項２】
前記第２の弾性体は前記透光性カバーの前記開口部の内周面に圧縮される突条を全周に形成した請求項１記載の防水型照明器具。  
【請求項３】
前記第１の弾性体は前記開口部の端面に当接する緩衝部を延出し、前記緩衝部より前記開口部の内周面に当接する当接部を有し、かつ前記透光性カバーと前記器具本体との間より引き出された把持部を有する請求項１または請求項２記載の防水型照明器具。  
【発明の詳細な説明】
【技術分野】
【０００１】
この発明は、防雨等に適用される防水型照明器具に関するものである。
【背景技術】
【０００２】
第１の従来例を図１０に示す。５０は壁面に取付けられねじ溝の付いた器具本体、５１は止水性をもたせるためリング状のパッキン５２を具備したねじ山付きのカバーである。この防水型照明器具は、カバー５１を器具本体５０にねじ込んで取付けている。
【０００３】
第２の従来例を図１１に示す。壁面に取付けられた器具本体５３にパッキンを具備したグローブ５４を被せて押しつけ、つまみねじ５５をグローブ５４を通して器具本体５３に締めつけてグローブ５４を取付けている。
【特許文献１】特開平７−３３５０１７号公報
【発明の開示】
【発明が解決しようとする課題】
【０００４】
第１の従来例では、器具本体５０にねじ溝、透光性カバー５１にねじ山が必要である。すなわち、透光性カバー５１がガラスカバーのとき、金型で透光性カバーと器具本体の嵌合にねじ山を設ける必要があった。樹脂製カバーの場合は、その大きさによっては透光性カバー自体と、ねじ部を別部品にて製造し、最後に接着等を用いてひとつの部品にする等の必要があった。そのためねじ山を設ける透光性カバー５１ではその製造方法が限られ、透光性カバーの外観形状が制限され、また金型投資費用が高価になった。
【０００５】
第２の従来例は、第１の従来例のねじ込み方式が使用できない長方形の照明器具等に適用されることが多いが、指でつまみねじ５５をつまむ必要があるため、つまみねじ５５が外観上露出し、小型でシンプルなデザインにすることが難しかった。また、構造上完全防水とすることが難しく、主に防水型の器具ではなく、防雨型の器具（水が器具内に浸入しても、水抜き穴等から排水され、構成部品に水が到達することのない器具）に採用されることが多かった。
【０００６】
したがって、この発明の目的は、透光性カバーのねじ山およびつまみねじが不要で、しかも防水性能を保つことができる防水型照明器具を提供することである。
【課題を解決するための手段】
【０００７】
この発明の防水型照明器具は、器具本体が前面に周壁を立設し前記周壁の内側を光源配置部としている。透光性カバーは開口部が前記周壁の内側に嵌合して前記光源配置部を被覆する。第１の弾性体は前記透光性カバーの前記開口部を前記周壁の内側に嵌合することにより前記周壁の内周面と前記開口部の外周面との間に密着介在される。第２の弾性体は前記器具本体または前記第１の弾性体に取付けられて前記周壁の内側に嵌合された前記透光性カバーの前記開口部の内周面に密着する。そして、前記透光性カバーの前記開口部を前記周壁の内側に嵌合することにより、前記第１の弾性体と前記第２の弾性体の密着力により前記透光性カバーを前記器具本体に保持する。
【０００８】
上記構成において、前記第２の弾性体は前記透光性カバーの前記開口部の内周面に圧縮される突条を全周に形成している。  
【０００９】
上記構成において、前記第１の弾性体は前記開口部の端面に当接する緩衝部を延出し、前記緩衝部の先端に前記開口部の内周面に当接する当接部を有し、かつ前記透光性カバーと前記器具本体との間より引き出された把持部を有する。
【発明の効果】
【００１０】
この発明の防水型照明器具によれば、透光性カバーを器具本体の周壁の内側に押し込んで第１の弾性体および第２の弾性体の密着力により器具本体に取付けるため、つまみねじ等が不要となり、コンパクトかつ鋭利なデザインを発現することができる。カバーにねじ山を設ける必要がないため、成形金型を容易に作ることができ、金型投資が安価にできる。ねじやつまみねじ、カバーのねじ込みでの機械的な嵌合を行わなくても完全防水を実現することができる。
【００１１】
弾性体に把持部を設け、カバー内周面端部に当接部を設けたため、カバーが破損し器具本体内部にその一部が残っていても、その突起部を指で摘んで引き出すことにより、残った部品を取り除くことが可能である。
【発明を実施するための最良の形態】
【００１２】
この発明の一実施の形態を図１から図９により説明する。器具本体１は前面の外周に周壁２を立設した四角形の箱形であり、周壁２の内側の光源配置部の中央部に収納部４を設け、収納部４に光源として例えば発光ダイオードを用いた光源ユニット３を収納している。このように発光ダイオードを用いることにより、最も小型化が必要とされる照明器具に適するものとしている。器具本体１は背面に本体パッキン１４を設けて例えば壁７に取付けられている。
【００１３】
透光性カバー５は、光源ユニット３を被覆する例えばガラス製の四角形の箱形であり、開口部６が周壁２の内側に嵌合する。この透光性カバー６は従来のカバーと異なり、ねじ山等を設けずまたつまみねじ用挿通孔を形成せずにプレス成形により製造している。プレス成形は簡易な金型で行うことができ、投資費用を抑えることができる成形方法である。
【００１４】
第１の弾性体８は略筒状であり、周壁２の内周面と透光性カバー５の開口部６の外周面との間に密着介在される。すなわち、外周面が器具本体１の周壁２の内周面に密着嵌合し、内周面が透光性カバー５の開口部６の外周面に密着嵌合する。また第１の弾性体８の器具本体１側となる内端部に、開口部６の端面に当接して開口部６が器具本体１の前面に直接接触しないための緩衝部９を延出し、さらに緩衝部９の先端内周に透光性カバー５の開口部６の内周面に当接する当接部１０を立ち上げている。また第１の弾性体８の外端部よりつば状の把持部１１を外方に突設している。第１の弾性体８は透光性カバー５を周壁２の内側に押し込むことにより、周壁２の内周面と透光性カバー５の開口部６の外周面との間に密着介在されるが、その際先に第１の弾性体８を周壁２の内側に装着しておくのが好ましい。そして把持部１１は透光性カバー５と器具本体１との間より引き出された形となる。
【００１５】
第２の弾性体１２は外周に２段の傾斜面を形成することにより断面略三角形の２本の突条１５を周方向の全周に形成した角筒形をなし、収納部４の外周に嵌合している。第２の弾性体１２の外周面の各面に例えばねじ頭を沈める凹部１６を形成し、凹部１６に挿通孔１７を形成し、取付具１８としてねじを挿通孔１７に通して収納部４に形成したねじ孔１９に螺合して取付けられている。第２の弾性体１２は透光性カバー５の開口部６を周壁２に押し込むことにより外周面の突条１５が圧縮されて透光性カバー５の開口部６の内周面に密着する。
【００１６】
図６および図７は透光性カバー５の取付けを示している。図６に示すように透光性カバー５の開口部６を第１の弾性体８と第２の弾性体１２の間に押し込み嵌合する。このとき、第２の弾性体１２は開口部６の内周面で内側に圧縮されながら押しつけられて開口部６の内周面に密着し、第１の弾性体８は開口部６の外周面で外側に圧縮されながら開口部６の外周面に密着し、開口部６の先端は緩衝部９に到達する。開口部６は緩衝部９に到達した後さらに押しつけられ、それにより器具本体１と透光性カバー５の開口部６との間に密閉状態が形成される。こうして透光性カバー５は第１の弾性体８と第２の弾性体１２の密着力により器具本体１に保持される。同時に、水等の進入路が第１の弾性体８と第２の弾性体１２とにより迷路構造となっており、透光性カバー５と周壁２の間から器具本体１の内部に浸水するのを防止することができ、電気部品のある部分まで浸水することがない。
【００１７】
図９は透光性カバー５が破損し、器具本体１内に透光性カバー５の開口部６の一部が残っている場合の取り出しについて示している。図９（ａ）のように開口部６の縁部が残っているとする。図９（ｂ）のように把持部１１をつまみ、図９（ｃ）の矢印のように周壁２から第１の弾性体８を引き出す。このとき残存している開口部６は緩衝部９および当接部１０に引っ掛けられて引き出されるので開口部６の残部を取り出すことができる。
【００１８】
なお、この発明において、第１の弾性体８および第２の弾性体１２は防水を達成するための液密性と透光性カバー５を保持する弾力性を有する材料、例えばＥＰＴゴムまたはシリコンゴムを用いる。また上記実施の形態では当接部１０上に第２の弾性体１２の突条１５が重なっているが、当接部１０上に突条１５が重ならないようにしてもよい。さらに第２の弾性体１２は第１の弾性体８に取付けられてもよい。
【００１９】
この発明において、器具本体１は壁７に限らず例えば天井に取付けられてもよい。また透光性カバー５は樹脂製でもよい。突条１５は断面三角形状に限らず他の形状でもよい。さらに光源３は発光ダイオードに限らずランプその他の発光体でもよい。
【図面の簡単な説明】
【００２０】
【図１】この発明の一実施の形態の分解斜視図である。
【図２】その分解状態の半断面側面図である。
【図３】（ａ）は器具本体の正面図、（ｂ）はその半断面側面図である。
【図４】（ａ）は第１の弾性体の正面図、（ｂ）はその半断面側面図である。
【図５】（ａ）は第２の弾性体の正面図、（ｂ）はその半断面側面図である。
【図６】カバー取付前の断面図である。
【図７】カバー取付状態の断面図である。
【図８】その斜視図である。
【図９】カバーの取り出し手順を示す断面図である。
【図１０】第１の従来例の斜視図である。
【図１１】第２の従来例の斜視図である。
【符号の説明】
【００２１】
１    器具本体
２    周壁
３    光源ユニット
５    透光性カバー
６    開口部  
８    第１の弾性体  
９    緩衝部
１０    当接部  
１１    把持部    
１２    第２の弾性体    
１５    突条
【図１】
2006277985.tif 000003
【図２】
2006277985.tif 000004
【図３】
2006277985.tif 000005
【図４】
2006277985.tif 000006
【図５】
2006277985.tif 000007
【図６】
2006277985.tif 000008
【図７】
2006277985.tif 000009
【図８】
2006277985.tif 000010
【図９】
2006277985.tif 000011
【図１０】
2006277985.tif 000012
【図１１】
2006277985.tif 000013